(57)【要約】【課題】アクチュエータの接続に関係なく通信が正しくされていることを確認し、システムとしての接続が正しくなされていることを容易に確認することができる遠隔制御端末装置を提供することを目的とする。【解決手段】信号発生回路３と、切り替え手段５と、設定手段６と、通信手段７と、を備え、信号発生回路３は、アクチュエータ９の動作状態を擬似的に表す電気信号を発生させて、切り替え手段５に送信し、切り替え手段５は、アクチュエータ９の動作状態を表す電気信号とアクチュエータ９の動作状態を擬似的に表す電気信号とを受信して、いずれか一方の信号を通信手段７に送信し、設定手段６は、切り替え手段５がいずれの信号を通信手段７に送信するかを設定し、通信手段７は、切り替え手段５から受信した信号を、伝送線１０を介して、遠隔監視装置１１に送信することを特徴とする。【選択図】図１
2008182605.tif 000002
【特許請求の範囲】
【請求項１】
アクチュエータの動作状態を表す電気信号を受信し、伝送線を介して接続された遠隔監視装置に送信する遠隔制御端末装置であって、
信号発生回路と、切り替え手段と、設定手段と、通信手段と、を備え、
信号発生回路は、アクチュエータの動作状態を擬似的に表す電気信号を発生させて、切り替え手段に送信し、
切り替え手段は、アクチュエータの動作状態を表す電気信号とアクチュエータの動作状態を擬似的に表す電気信号とを受信して、いずれか一方の信号を通信手段に送信し、
設定手段は、切り替え手段がいずれの信号を通信手段に送信するかを設定し、
通信手段は、切り替え手段から受信した信号を、伝送線を介して、遠隔監視装置に送信することを特徴とする遠隔制御端末装置。
【請求項２】
設定手段の設定状態を示す表示手段をさらに備えることを特徴とする遠隔制御端末装置。
【発明の詳細な説明】
【技術分野】
【０００１】
本発明は、アクチュエータの情報を収集し、送受信データとして、遠隔監視装置と通信を行う遠隔制御端末装置に関する。
【背景技術】
【０００２】
従来、この種の遠隔制御端末装置では、図３に示す遠隔制御端末装置があった。図３において、遠隔制御端末装置１０１は、状態検出手段１０７によって検出されたアクチュエータ１０３の入出力負荷状態のデータについて、データの送受信を行う通信手段１０２を介して、伝送線１０４に接続された遠隔監視装置１０５と送受信を行い、送受信の受理応答の有無を通信状態判定手段１０６にて監視し、受理応答が確認されなかった場合は、訂正のためのデータを再送して、システムの接続状態の正誤を確認し、正しく接続されていた場合に限り通信が成立していた（例えば、特許文献１参照）。
【特許文献１】特開２００２−１０５３２号公報
【発明の開示】
【発明が解決しようとする課題】
【０００３】
しかしながら、上記従来の構成では、アクチュエータ１０３から採取したデータをもとに、送受信データを作成し、送受信を行わなければ通信が成立しない。そのため、遠隔制御端末装置１０１が正しく接続され、通信が正しくされていることを確認するためには、アクチュエータ１０３を含め、システム全体の接続が確立されていなければならない。通常、建物の新設や改装において、アクチュエータ１０３の計装は、最終段階となり、そのデータ収集や制御の確認もアクチュエータ１０３の正規実装が行われた後となるが、ここで伝送線１０４などに誤接続が発見された場合、その修正にコストと時間がかかってしまうという問題があった。
【０００４】
本発明は、上記問題に鑑みてなしたものであり、アクチュエータ１０３の接続に関係なく通信が正しくされていることを確認し、アクチュエータ１０３が実装されるまでの事前期間に、システムとしての接続が正しくなされていることを容易に確認することができる遠隔制御端末装置を提供することを目的とする。
【課題を解決するための手段】
【０００５】
上記課題を解決するために、請求項１に記載の遠隔制御端末装置は、アクチュエータの動作状態を表す電気信号を受信し、伝送線を介して接続された遠隔監視装置に送信する遠隔制御端末装置であって、信号発生回路と、切り替え手段と、設定手段と、通信手段と、を備え、信号発生回路は、アクチュエータの動作状態を擬似的に表す電気信号を発生させて、切り替え手段に送信し、切り替え手段は、アクチュエータの動作状態を表す電気信号とアクチュエータの動作状態を擬似的に表す電気信号とを受信して、いずれか一方の信号を通信手段に送信し、設定手段は、切り替え手段がいずれの信号を通信手段に送信するかを設定し、通信手段は、切り替え手段から受信した信号を、伝送線を介して、遠隔監視装置に送信することを特徴とする。
【０００６】
請求項２に記載の発明は、上記請求項１に記載の遠隔制御端末装置において、設定手段の設定状態を示す表示手段をさらに備えることを特徴とする。
【発明の効果】
【０００７】
請求項１に記載の発明においては、アクチュエータの接続に関係なく通信が正しくされていることを確認することができるので、アクチュエータが実装されるまでの事前期間に、システムとしての接続が正しくなされていることを容易に確認することができる。
【０００８】
請求項２に記載の発明においては、アクチュエータの接続に関係なく通信が正しくされていることを確認することができるので、アクチュエータが実装されるまでの事前期間に、システムとしての接続が正しくなされていることを容易に確認することができるとともに、アクチュエータが正しく接続されている場合には、アクチュエータとの通信が正しくなされていることも容易に確認することができる。
【発明を実施するための最良の形態】
【０００９】
以下、図面を参照しながら本発明の実施の形態について説明する。以下の説明では具体例を挙げて本発明を説明する場合があるが、本発明は以下の具体例に限定されない。
（実施形態１）
実施形態１に係るシステムを図１に示す。図１に示すように、遠隔制御端末装置１Ａは、外部信号回路２と、信号発生回路３と、内部信号回路４と、切り替え手段５と、設定手段６と、通信手段７と、を基本構成とする。
【００１０】
遠隔制御端末装置１Ａは、アクチュエータ９に接続され、アクチュエータ９を遠隔制御する。ここで、遠隔制御端末装置１Ａは、外部信号回路２において、アクチュエータ９が発生させる電気信号を動作信号として受信する。なお、遠隔制御端末装置１Ａは、アクチュエータ９の数に応じて用意され（本実施形態では、２つ）、建物の壁や天井に配置される。アクチュエータ９は、例えば、照明器具などの照明設備や、エアコンなどの空調設備である。
【００１１】
また、遠隔制御端末装置１Ａは、伝送線１０を介して、遠隔監視装置１１に接続され、通信手段７において、データの送受信を行う。伝送線１０は、例えば、ＬＡＮで構築することができ、遠隔監視装置１１として、例えば、パソコンを利用することができる。
【００１２】
以下、遠隔制御端末装置１Ａの内部構成について、詳細に説明する。
【００１３】
外部信号回路２は、アクチュエータ９に接続され、アクチュエータ９から、電気信号を動作信号として受信し、当該電気信号を切り替え手段６に送信する。
【００１４】
信号発生回路３は、アクチュエータ９が発生させる電気信号と同様の電気信号を発生させ、内部信号回路４に送信する。信号発生回路３が発生させる電気信号は、アクチュエータ９が発生させる電気信号、例えば、アクチュエータ９のＯＮ／ＯＦＦを表す電気信号を擬似的に表す電気信号である。
【００１５】
内部信号回路４は、信号発生回路３に接続され、信号発生回路３から、アクチュエータ９が発生させる電気信号を擬似的に表す電気信号を、擬似動作信号として受信し、当該電気信号を切り替え手段５に送信する。
【００１６】
切り替え手段５は、外部信号回路２からの電気信号と、内部信号回路４からの電気信号を受信し、いずれか一方の信号を、通信手段７に送信する。
【００１７】
設定手段６は、切り替え手段５が受信した外部信号回路２からの電気信号と、内部信号回路４からの電気信号とのうち、いずれを通信手段７に送信するかを設定する設定信号を切り替え手段５に送信する。設定信号は、設定手段６の設定状態に従って送信される。ここで、設定手段６の設定状態は、通常は、切り替え手段５が外部信号回路２からの電気信号、すなわちアクチュエータ９が発生させる電気信号を通信手段７に送信するように設定されているが、例えば、アクチュエータ９が実装されるまでの事前期間に、システムとしての接続が正しくなされていることを確認するなどの際には、一時的に、切り替え手段５が内部信号回路４からの電気信号、すなわち信号発生回路３が発生させる電気信号を通信手段７に送信するように、使用者が手動で設定し、確認終了後に元の状態に戻すとよい。
【００１８】
通信手段７は、切り替え手段５から受信した電気信号を通信符号に変換し、伝送線１０を介して、遠隔監視装置１１に送信する。
【００１９】
ここで、アクチュエータ９が接続されていない場合には、設定手段６を、切り替え手段５が内部信号回路４から受信した電気信号を通信手段７に送信するように設定すれば、遠隔制御端末装置１Ａと遠隔装置１１との間の通信が、伝送線１０を介して、成立する。
【００２０】
したがって、アクチュエータ９の接続に関係なく通信が正しくされていることを確認することができるので、アクチュエータ９が実装されるまでの事前期間に、システムとしての接続が正しくなされていることを容易に確認することができる。
（実施形態２）
実施形態２に係るシステムを図２に示す。
【００２１】
実施形態１と異なる点は、遠隔制御端末装置１Ｂに、設定手段６の設定状態を表示する表示手段８が設けられている点である。表示手段８としては、例えば、液晶ディスプレイなどを利用することができる。
【００２２】
したがって、アクチュエータ９が発生させた電気信号と、内部信号回路４が発生させた電気信号とのうち、いずれが遠隔監視装置１１に送信されているかを容易に確認することができる。
【図面の簡単な説明】
【００２３】
【図１】実施形態１に係るシステムのブロック図である。
【図２】実施形態２に係るシステムのブロック図である。
【図３】従来のシステムのブロック図である。
【符号の説明】
【００２４】
１Ａ，１Ｂ，１０１  遠隔制御端末装置
２                  外部信号回路
３                  信号発生回路
４                  内部信号回路
５                  切り替え手段
６                  設定手段
７，１０２          通信手段
８                  表示手段
９，１０３          アクチュエータ
１０，１０４        伝送線
１１，１０５        遠隔監視装置
１０６              通信状態判定手段
１０７              状態検出手段
【図１】
2008182605.tif 000003
【図２】
2008182605.tif 000004
【図３】
2008182605.tif 000005